(57)【特許請求の範囲】
【請求項１】
デジタルオーディオデータを記憶するデータ記憶手段と、前記データ記憶手段からのデジタルオーディオデータの読出し方向及び読出し速度を入力する回転操作手段と、前記データ記憶手段に記憶されたデジタルオーディオデータを前記回転操作手段の回転方向及び回転速度に応じて読み出す制御手段を備えたデジタルオーディオディスク再生装置において、
前記回転操作手段によって読出し方向が第１の方向から第２の方向へ反転された時点において前記制御手段が読み出したデジタルオーディオデータの前記データ記憶手段におけるアドレスを記憶するアドレス記憶手段と、前記アドレス記憶手段によって記憶されたアドレスと当該アドレスの記憶の後に前記回転操作手段によって読出し方向が第１の方向から第２の方向へ反転された時点において前記制御手段が読み出したデジタルオーディオデータの前記データ記憶手段におけるアドレスとの差を算出する算出手段と、前記データ記憶手段におけるアドレス差のしきい値を設定するしきい値設定手段とを備え、前記制御手段は、前記算出手段によって算出された差の絶対値が前記しきい値設定手段により設定されたしきい値以下であれば、前記反転時の前記データ記憶手段におけるアドレスを前記アドレス記憶手段に記憶されたアドレスに置換する制御を行うことを特徴とするデジタルオーディオディスク再生装置。
【請求項２】
請求項１に記載のデジタルオーディオディスク再生装置であって、
前記データ記憶手段に記憶されたデジタルオーディオデータの読み出し方向の前記反転時の前記データ記憶手段におけるアドレスを前記アドレス記憶手段に記憶されたアドレスに置換する前記制御手段による制御動作の可否を切り換える切換手段を備えることを特徴とするデジタルオーディオディスク再生装置。
【発明の詳細な説明】
【０００１】
【発明の属する技術分野】
本発明は、デジタルオーディオデータの再生方向の可変操作を行うことができるデジタルオーディオディスク再生装置に関するものである。
【０００２】
【従来の技術】
ダンスホール、ディスコ等で、ディスクにデジタル記録された楽曲等のオーディオデータの再生速度を可変操作しながら編集して再生する、いわゆるディスクジョッキー(ＤＪ：Disc Jockey)用ディスク再生装置では、楽曲等を編集して連続的に再生する機能が必要とされる。
アナログ記録されたディスクを再生するアナログプレーヤを用いて、操作者が、アナログディスクに針をのせて手でターンテーブルを素早く順逆方向に回して擦れ音を出す、スクラッチ再生と呼ばれる再生操作方法がある。
【０００３】
アナログプレーヤでスクラッチ再生を行う場合、例えば、アナログディスクを順逆方向に回して短い区間を繰り返し再生する。
デジタル記録されたＣＤ(Compact Disc)等からオーディオデータを再生するディスク再生装置でスクラッチ再生を行う場合、オーディオデータをメモリに記憶し、メモリからの読出し方向及び読出し速度を変化させることによって行う。
【０００４】
スクラッチ再生操作には、ジョグダイヤルと呼ばれる回転式操作子が用いられる。ジョグダイヤルを手動で回転操作すると、その方向と速度が検出され、回転方向に応じてメモリからのオーディオデータの読出し方向が制御され、回転速度に応じてメモリからのオーディオデータの読出し速度が制御される。
ジョグダイヤルで回転速度を検出する場合、ジョグダイヤルに設けられた２個のスイッチのオンとオフがジョグダイヤルの回転に伴って切り換えられ、一定時間内に切り換えられる回数(切り換えに伴って出力されるパルス数)を検出することによって回転速度を検出する。
ジョグダイヤルで回転方向を検出する場合、回転方向を反転すると２個のスイッチのオンとオフの切り換え順序が逆になり、切り換えに伴って出力される２個のスイッチからのパルスの位相差を検出することによって回転方向を検出する。
【０００５】
【発明が解決しようとする課題】
ジョグダイヤルを順逆方向に回動させて、ある区間を繰り返し再生する場合、ジョグダイヤルの回動速度が変わるとメモリの読出しクロックが変わるため、同じ区間であっても再生されるオーディオデータ量が変わってくる。ジョグダイヤルを順逆方向に回動させて同じ区間を繰り返し操作する場合、同じ速度、同じ区間で繰り返しているつもりでも、手操作の繰り返し毎の回動速度及び回動区間の差、及びジョグダイヤルの回動速度及び回動区間のマイコンによる検出誤差がある。この回動速度及び回動区間の差が操作を繰り返すうちに累積し、ジョグダイヤルの順逆方向の回動操作による回動方向の反転位置とメモリから読み出されるオーディオデータのメモリアドレスとの対応関係が、操作しているうちにずれていくことがあった。
本発明が解決しようとする課題は、デジタルオーディオディスク再生装置において、このようなメモリから読み出されるオーディオデータのメモリアドレスとの対応関係のずれを防止することにある。
【０００６】
【課題を解決するための手段】
本発明の請求項１に記載のデジタルオーディオディスク再生装置は、デジタルオーディオデータを記憶するデータ記憶手段と、前記データ記憶手段からのデジタルオーディオデータの読出し方向及び読出し速度を入力する回転操作手段と、前記データ記憶手段に記憶されたデジタルオーディオデータを前記回転操作手段の回転方向及び回転速度に応じて読み出す制御手段を備えたデジタルオーディオディスク再生装置において、前記回転操作手段によって読出し方向が第１の方向から第２の方向へ反転された時点において前記制御手段が読み出したデジタルオーディオデータの前記データ記憶手段におけるアドレスを記憶するアドレス記憶手段と、前記アドレス記憶手段によって記憶されたアドレスと当該アドレスの記憶の後に前記回転操作手段によって読出し方向が第１の方向から第２の方向へ反転された時点において前記制御手段が読み出したデジタルオーディオデータの前記データ記憶手段におけるアドレスとの差を算出する算出手段と、前記データ記憶手段におけるアドレス差のしきい値を設定するしきい値設定手段とを備え、前記制御手段は、前記算出手段によって算出された差の絶対値が前記しきい値設定手段により設定されたしきい値以下であれば、前記反転時の前記データ記憶手段におけるアドレスを前記アドレス記憶手段に記憶されたアドレスに置換する制御を行うことを特徴とする。
【０００７】
本発明の請求項２に記載のデジタルオーディオディスク再生装置は、請求項１に記載のデジタルオーディオディスク再生装置であって、前記データ記憶手段に記憶されたデジタルオーディオデータの読み出し方向の前記反転時の前記データ記憶手段におけるアドレスを前記アドレス記憶手段に記憶されたアドレスに置換する前記制御手段による制御動作の可否を切り換える切換手段を備えることを特徴とする。
【０００８】
【発明の実施の形態】
図１は、本発明のデジタルオーディオディスク再生装置の一実施例の構成を示すブロック図である。
ディスク１は、スピンドルモータ２によって回転駆動される。ディスク１として、デジタルオーディオ(楽曲)データが記録されたＣＤ(Compact Disc)を用いる。
【０００９】
ピックアップ３は、回転駆動されるディスク１にレーザを照射し、ディスク１からの反射光によってディスク１にピットとして記録されたオーディオデータを検出する。
【００１０】
サーボ制御部４は、スピンドルモータ２の回転制御、ピックアップ３の光学系のフォーカス制御、トラッキング制御等を行う。スピンドルモータ２の回転速度は、ディスク１からピックアップ３によって検出される同期信号を用いて、サーボ制御部４によって制御される。復調部５は、ピックアップ３によって検出されたオーディオデータをＥＦＭ(Eight to Fourteen Modulation)復調する。
【００１１】
メモリ制御・出力制御部６は、メモリ(ＲＡＭ：Random Access Memory)７の読み出し・書き込みを制御するもので、復調部５からのオーディオデータをＲＡＭ７に記憶させ、ＲＡＭ７からオーディオデータを読み出す。メモリ制御・出力制御部６は、ＤＳＰ(Digital Signal Processor)を用いて構成される。
ＤＡ変換部(Ｄ／Ａ)・アンプ８は、メモリ制御・出力制御部６からのオーディオデータをアナログオーディオ信号に変換し増幅して、出力端子９に出力する。
【００１２】
メモリ（RAM）１０は、メモリ制御・出力制御部６に接続され、スクラッチ再生を行うとき繰り返し区間の開始アドレス及び終了アドレスを記憶する開始アドレス記憶部１０a及び終了アドレス記憶部１０b、しきい値を記憶するしきい値記憶部１０cを備える。
メモリ制御・出力制御部６は、メモリ（Random Access Memory）７の読み出し・書き込みを制御するもので、復調部５からのオーディオデータをRAM７に記憶させ、RAM７からオーディオデータを読み出す。
【００１３】
クロック制御部１１は、再生速度を調整するためのクロック信号をメモリ制御・出力制御部６に入力する。
制御用マイクロコンピュータ(マイコン)１２は、サーボ制御部４、復調部５、メモリ制御・出力制御部６を制御する。マイコン１２への操作入力及びマイコン１２からの表示を行う操作・表示部１３がマイコン１２に接続される。操作・表示部１３は、ジョグダイヤル１３ａ、しきい値入力部１３ｂ、動作切換部１３ｃ、操作ボタン、ディスプレイ等を備える。
【００１４】
ディスク１を再生する場合、ディスク１からピックアップ３によって検出されたオーディオデータは、復調部５、メモリ制御・出力制御部６、ＲＡＭ７、Ｄ／Ａ・アンプ８を介して、出力端子９に出力される。
【００１５】
スクラッチ再生を行う場合、ユーザは操作・表示部１３のジョグダイヤル１３ａを操作する。マイコン１２は、ジョグダイヤル１３ａで入力された回動速度及び回動方向を検出し、クロック制御部１１によってメモリ制御・出力制御部６、Ｄ／Ａ・アンプ８に再生速度を可変するクロック信号を送る。メモリ制御・出力制御部６は、ＲＡＭ７からオーディオデータを読み出す速度及び方向を制御する。
【００１６】
スクラッチ再生を行う場合、例えば、ジョグダイヤルの１／８回転(回転角４５°)以下の区間で順逆方向に繰り返す往復操作がよく行われる。図２は、ＲＡＭ７に記憶されたデジタルオーディオデータの再生状態を示す図である。(ａ)はディスク１の通常の再生状態を示す。オーディオデータ記憶領域の最初のメモリアドレス０から最後のメモリアドレスＮまでデジタルオーディオデータを記憶していき、Ｎまで記憶するとメモリアドレス０へ戻って続きのデジタルオーディオデータを上書きしていく。
【００１７】
(ｂ)はスクラッチ再生状態を示す図であり、ｎ１〜ｎ２の区間のオーディオデータを繰り返し再生する状態を示す。スクラッチ再生を行う場合、ディスク１が通常に再生されている状態から、ジョグダイヤル１３ａを逆方向に回動すると回動開始したメモリアドレスｎ２が開始アドレス記憶部１０ａに記憶され、次に逆方向から順方向に反転すると反転位置でメモリアドレスｎ１が、終了アドレス記憶部１０ｂに記憶される。ジョグダイヤル１３ａの操作によって入力された区間に対応するメモリアドレスｎ２からｎ１までを繰り返して再生する。
【００１８】
ジョグダイヤル１３ａの操作によって繰り返し再生する場合、繰り返す区間を示すメモリアドレスｎ１、ｎ２に対してしきい値ｄｎ１、ｄｎ２を設定することができる。ｄｎ１、ｄｎ２は、しきい値入力部１３ｂから入力され、マイコン１２、メモリ制御・出力制御部６を介して、しきい値記憶部１０ｃに記憶される。
【００１９】
繰り返しの１回目の操作によって、繰り返し区間を示すメモリアドレスｎ１、ｎ２が開始アドレス記憶部１０ａ、終了アドレス記憶部１０ｂに記憶される。繰り返しの２回目以降の操作では、メモリ制御・出力制御部６は、ジョグダイヤル１３ａによってｎ１又はｎ２の位置で反転しようとして操作されたメモリアドレスと開始アドレス記憶部１０ａ又は終了アドレス記憶部１０ｂに記憶されたメモリアドレスの差を算出する。
【００２０】
ここで算出された差が、−ｄｎ１以上であって＋ｄｎ１以下、又は−ｄｎ２以上であって＋ｄｎ２以下であれば、メモリ制御・出力制御部６は、ジョグダイヤル１３ａによってｎ１又はｎ２の位置で反転しようとして操作されたメモリアドレスを、開始アドレス記憶部１０ａ又は終了アドレス記憶部１０ｂに記憶されたメモリアドレス(ここではｎ１又はｎ２)に置換する。
【００２１】
ジョグダイヤル１３ａの回動速度が大きく変化したり、ジョグダイヤル１３ａが長く回動されたりして、算出された差が、−ｄｎ１未満又は＋ｄｎ１を越える場合、あるいは−ｄｎ２未満又は＋ｄｎ２を越える場合、マイコン１２はメモリ制御・出力制御部６を介して開始アドレス記憶部１０aに記憶していたメモリアドレスを消去し、次のジョグダイヤル１３ａの操作によって、再び繰り返し操作が行われるまで待機する。
【００２２】
繰り返し区間の開始アドレス及び終了アドレスの置換動作を行うか否か、使用者は、動作切換部１３ｃにより操作して、マイコン１２を介して切り換えることができる。
【００２３】
本実施例のデジタルオーディオディスク再生装置によれば、使用者の繰り返し再生操作の習熟度に応じてしきい値を設定することができる。
初心者が使用する場合には、しきい値を大きく設定することにより、繰り返し再生を簡単に続けて行うことができる。
熟練者が使用する場合には、しきい値を小さく設定する、又は置換動作を切ることができる。
【００２４】
【発明の効果】
本発明のデジタルオーディオディスク再生装置によれば、回転操作手段による反転アドレスの差の累積によって、回転操作手段の回動位置に対応するメモリアドレスのずれを防止することができる。
【図面の簡単な説明】
【図１】本発明のデジタルオーディオディスク再生装置の一実施例の構成を示すブロック図である。
【図２】本実施例のメモリに記憶されたオーディオデータの再生状態を示す図である。
【符号の説明】
１  ディスク
２  スピンドルモータ
３  ピックアップ
４  サーボ制御部
５  復調部
６  メモリ制御・出力制御部
７  メモリ(ＲＡＭ)
８  ＤＡ変換部(Ｄ／Ａ)・アンプ
９  出力端子
１０  メモリ(ＲＡＭ)
１０ａ  開始アドレス記憶部
１０ｂ  終了アドレス記憶部
１０ｃ  しきい値記憶部
１１  クロック制御部
１２  制御用マイクロコンピュータ(マイコン)
１３  操作・表示部
１３ａ  ジョグダイヤル
１３ｂ  しきい値入力部
１３ｃ  動作切換部
【図１】
0003822803.tif 000002
【図２】
0003822803.tif 000003